(57)【特許請求の範囲】
【請求項１】
建物のバルコニーの床に立設された支柱と、
前記バルコニーの内側空間と外側空間とを区画し、前記支柱の前記外側空間側に配置されて複数設けられた手摺面材と、
前記手摺面材を前記支柱に取り付ける支持部材と、
を備えたバルコニーの手摺面材取付構造において、
前記支持部材は、第１の手摺面材を第１締結部材により前記支柱に取り付けた第１支持部材と、第２の手摺面材を、第２締結部材により前記第１支持部材に取り付けた第２支持部材と、を備えることを特徴とするバルコニーの手摺面材取付構造。
【請求項２】
請求項１に記載のバルコニーの手摺面材取付構造において、
前記第１支持部材と前記第２支持部材とのいずれか一方は、前記第１、第２の手摺面材の前記手摺面材が延在される長手方向の端面同士の間を通って、前記内側空間側から前記外側空間に延びるとともに前記長手方向に沿う方向に延在されて、前記端面同士を対向させた継目部を前記外側空間側から覆うカバー部材を備えることを特徴とするバルコニーの手摺面材取付構造。
【請求項３】
請求項２に記載のバルコニーの手摺面材取付構造において、
前記カバー部材は、前記第２の手摺面材の前記端面に当接して前記端面同士の間に配置された外側方向延長部と、この外側方向延長部の先端から、前記第１の手摺面材の表面に沿う方向に折曲されたカバー部と、によりＬ字断面形状に形成されていることを特徴とするバルコニーの手摺面材取付構造。
【請求項４】
請求項２または請求項３に記載のバルコニーの手摺面材取付構造において、
前記第１支持部材は、前記第１の手摺面材の背面に固定された第１手摺面材側取付部と、この第１手摺面材側取付部から前記支柱に向かって延びる連結部と、この連結部の先端部に結合され、前記外側空間側から前記第１締結部材により前記支柱に固定された支柱側取付部と、を備え、
前記第２支持部材は、前記第２の手摺面材の背面に固定された第２手摺面材側取付部と、この第２手摺面材側取付部から前記支柱に向かって延び、前記連結部に、前記手摺面材の長手方向に沿う方向から前記第２締結部材により固定された固定部と、前記第２手摺面材側取付部と前記固定部の少なくとも一方から前記外側空間の方向に延びる前記カバー部材と、を備えることを特徴とするバルコニーの手摺面材取付構造。
【請求項５】
請求項４に記載のバルコニーの手摺面材取付構造において、
前記第１支持部材は、前記第１の手摺面材の裏面に沿う板状の前記第１手摺面材側取付部に、板状の前記連結部と前記支柱側取付部とがそれぞれ略直角に一体に形成されたアングル材により形成され、
前記第２支持部材は、前記第２の手摺面材の裏面に沿う前記第２手摺面材側取付部に、板状の前記固定部と前記カバー部材とがそれぞれ略直角に一体に形成されたアングル材により形成されたことを特徴とするバルコニーの手摺面材取付構造。
【請求項６】
請求項５に記載のバルコニーの手摺面材取付構造において、
前記第２支持部材は、前記第２手摺面材側取付部から前記支柱に向かって延びて先端を前記支柱に当接させた当接支持部を備えていることを特徴とするバルコニーの手摺面材取付構造。
【発明の詳細な説明】
【技術分野】
【０００１】
本発明は、建物のバルコニーにおける手摺面材の取付構造に関するものである。
【背景技術】
【０００２】
従来、住宅等の建物におけるバルコニーなどにおいて、バルコニー床に立設した支柱で手摺面材を支持したものが知られている（例えば、特許文献１〜特許文献７参照）。
これらの技術のうち、特許文献１に記載のものは、手摺面材は、支柱に対してバルコニー内側空間側に配置され、手摺面材の端部が、支柱のバルコニー内側の面に直接螺子止めされた取付構造となっている。したがって、手摺面材の端部は、バルコニーの外側空間から見ると、支柱の背面に隠れている。
また、特許文献２に記載のものは、手摺面材は、支柱に対してバルコニー外側空間側に配置され、手摺面材の長手方向の中間部が支柱に支持部材により支持された取付構造となっている。
【０００３】
これに対し、特許文献３〜７に記載のものは、手摺面材は、支柱に対してバルコニー外側空間側に配置され、隣り合う２つの手摺面材の端面同士が向き合う継目部の背後に支柱が配置された取付構造となっている。すなわち、手摺面材の端面同士が対向した継目部が、バルコニーの外観に現れる構造となっている。
【０００４】
このような１つの支柱により２つの手摺面材の端部を支持する構造において、特許文献３に記載のものは、両手摺面材の端部背面に取り付けられたフレーム部材により、支柱にボルト・ナットにより締結した固定金具を挟持した構造となっている。
同様に、特許文献４〜７に記載のものも、手摺面材を支柱に固定する支持部材は異なるが、２つの手摺面材のそれぞれを独立して支持部材により支柱に固定した構造となっており、継目部では、手摺面材の端面同士が対向あるいは突き当てている。
【先行技術文献】
【特許文献】
【０００５】
【特許文献１】特開平８−１３６０５号公報
【特許文献２】特開２０１４−５１８３８号公報
【特許文献３】特開２０１４−９１９４９号公報
【特許文献４】特許第３０３１２６６号公報
【特許文献５】特開２００２−８９００４号公報
【特許文献６】特開平１１−３３６２２２号公報
【特許文献７】特開平９−７８６８５号公報
【発明の概要】
【発明が解決しようとする課題】
【０００６】
しかしながら、従来のバルコニーの手摺面材取付構造は、２つの手摺面材のそれぞれを独立して支持部材により支柱に固定しているため、取付時に、両者の相対位置の精度を確保するのが難しい。また、手摺面材が熱膨張や熱収縮した場合に、手摺面材同士の間隔が変化し、手摺面材の端面同士が対抗した継目部の間隔が変化し、継目部の隙間が拡がった場合、外観品質が低下するおそれがあった。
そこで、この発明は、手摺面材の取付時および取付後の取付位置精度を向上させて外観品質向上を図ることができるバルコニーの手摺面材取付構造を提供することを目的とするものである。
【課題を解決するための手段】
【０００７】
この発明は、建物のバルコニーの床に立設された支柱と、前記バルコニーの内側空間と外側空間とを区画し、前記支柱の前記外側空間側に配置されて長手方向に複数設けられた手摺面材と、前記手摺面材を前記支柱に取り付ける支持部材と、を備えたバルコニーの手摺面材取付構造に関するものである。
そして、上記目的を達成するため、本発明は、前記支持部材は、前記第１の手摺面材を第１締結部材により前記支柱に取り付けた第１支持部材と、前記第２の手摺面材を、第２締結部材により前記第１支持部材に取り付けた第２支持部材と、を備えることを特徴とする。
【０００８】
ここで、前記第１支持部材と前記第２支持部材とのいずれか一方は、前記第１、第２の手摺面材の前記手摺面材が延在される長手方向の端面同士の間を通って、前記内側空間側から前記外側空間に延びるとともに前記長手方向に沿う方向に延在されて、前記端面同士を対向させた継目部を前記外側空間側から覆うカバー部材を備える構成にすることができる。
さらに、前記カバー部材は、前記第２の手摺面材の前記端面に当接して前記端面同士の間に配置された外側方向延長部と、この外側方向延長部の先端から、前記第１の手摺面材の表面に沿う方向に折曲されたカバー部と、によりＬ字断面形状に形成することができる。
【０００９】
また、前記第１支持部材は、前記第１の手摺面材の背面に固定された第１手摺面材側取付部と、この第１手摺面材側取付部から前記支柱に向かって延びる連結部と、この連結部の先端部に結合され、前記外側空間側から前記第１締結部材により前記支柱に固定された支柱側取付部と、を備え、前記第２支持部材は、前記第２の手摺面材の背面に固定された第２手摺面材側取付部と、この第２手摺面材側取付部から前記支柱に向かって延び、前記連結部に、前記手摺面材の長手方向に沿う方向から前記第２締結部材により固定された固定部と、前記第２手摺面材側取付部と前記固定部の少なくとも一方から前記外側空間の方向に延びる前記カバー部材と、を備える構成とするのが好ましい。
さらに、前記第１支持部材は、前記第１の手摺面材の裏面に沿う板状の前記第１手摺面材側取付部に、板状の前記連結部と前記支柱側取付部とがそれぞれ略直角に一体に形成されたアングル材により形成され、前記第２支持部材は、前記第２の手摺面材の裏面に沿う前記第２手摺面材側取付部に、板状の前記固定部と前記カバー部材とがそれぞれ略直角に一体に形成されたアングル材により形成された構成とすることができる。
また、前記第２支持部材は、前記第２手摺面材側取付部から前記支柱に向かって延びて先端を前記支柱に当接させた当接支持部を備えた構成とするのが好ましい。
【発明の効果】
【００１０】
本発明によれば、第２の手摺面材は、第１の手摺面材を支柱に取り付けた第１支持部材に第２支持部材を介して取り付ける。このため、第２の手摺面材は、第１の手摺面材に対する相対位置を規定しやすく取付位精度を容易に向上できる。すなわち、第２の手摺面材に対して取り付ける場合、第２の手摺面材は、支柱と第１の手摺面材との両方に対して位置を調整する必要があり、その位置調整および位置精度を確保するのに手間を要する。それに対して、本発明では、既に支柱に取り付けられた第１の手摺面材に対して位置調整すればよく、位置精度の確保が容易である。
加えて、第１の手摺面材および第２の手摺面材に、熱膨張および熱収縮が生じた場合も、各手摺面材が、それぞれ独立して支柱に対して変位するのではなく、第１支持部材に対して相対変位する。このため、両手摺面材をそれぞれ支柱に独立して取り付けたものと比較して、両端面の相対変位量を抑えることができる。これにより、継目部における両端面の間の隙間が拡がるのを抑えることができ、外観品質を向上させることができる。
【００１１】
さらに、第１の手摺部材と第２の手摺部材との間に形成された継目部が外側空間側からカバー部材により覆われる構成とした場合、両手摺部材の端部の間隔が変位したり、拡がったりしても、一定の外観品質に保ち、外観品質を向上させることができる。
また、第２支持部材に、カバー部材を設ければ、第２の手摺面材の端面とカバー部材との位置関係を一定に保ち、熱収縮などの相対変位を抑えることができる。よって、例えば、支持部材に、第１、第２両支持部材とは別体のカバー部材を設けたものと比較して、継目部を覆い隠す部分の面積を抑えつつ、確実に隙間を隠すことができる。
【００１２】
さらに、カバー部材を、第２の手摺面材の端面に当接して端面同士の間に配置された外側方向延長部と、この外側方向延長部の先端から、第１の手摺面材の表面に沿う方向に折曲されたカバー部と、によりＬ字断面形状に形成すれば、第２の手摺面材に熱収縮が生じても、カバー部材と端面とが当接し、両者の間に隙間が生じるのを抑えることができる。また、第１の手摺面材の端面とカバー部材との隙間は、カバー部により覆うため、第１の手摺面材に熱収縮が生じても、確実にその隙間を隠すことができる。
これにより、より一層外観品質を確実に向上させることができる。
【００１３】
また、第１支持部材が、第１の手摺面材の背面に固定された第１手摺面材側取付部と、この第１手摺面材側取付部から支柱に向かって延びる連結部と、この連結部の先端部に結合され、外側空間側から第１締結部材により支柱に固定された支柱側取付部と、を備え、第２支持部材が、第２の手摺面材の背面に固定された第２手摺面材側取付部と、この第２手摺面材側取付部から支柱に向かって延び、前記連結部に、手摺面材の長手方向に沿う方向から第２締結部材により固定された固定部と、第２手摺面材側取付部と前記固定部の少なくとも一方から外側空間の方向に延びるカバー部材と、を備える構成とすれば、支柱側取付部の支柱への固定作業は、第２支持部材の固定前に行うことで、作業空間に余裕があり、作業性を確保できる。
さらに、第２支持部材は、第１支持部材の連結部に第２締結部材により固定するため、第２支持金部材を支柱に直接固定するのに比べ、作業空間の確保が容易であり作業性に優れる。
さらに、第１支持部材は、第１の手摺面材の裏面に沿う板状の第１手摺面材側取付部に、板状の連結部と支柱側取付部とがそれぞれ略直角に一体に形成されたアングル材により形成され、第２支持部材は、第２の手摺面材の裏面に沿う第２手摺面材側取付部に、板状の固定部とカバー部材とがそれぞれ略直角に一体に形成されたアングル材により形成された構成とすれば、両支持部材の製造が容易であるとともに、加工精度に優れる。
また、第１支持部材は、第１手摺面材側取付部と支柱側取付部とが、それぞれ、第１の手摺面材と支柱とに面当接するため、水平方向に傾きにくく、固定強度に優れる。
同様に、第２支持部材は、第２手摺面材側取付部と固定部とが、第２の手摺面材と板状の連結部とに、面当接するため、水平方向に傾きにくく、固定強度に優れる。
また、第２支持部材は、第２手摺面材側取付部から支柱に向かって延びて先端を支柱に当接させた当接支持部を備えた構成とすれば、第２の手摺面材の取付作業時に、当接支持部を指標として位置決めが可能であり、取付作業性に優れる。加えて、第２支持部材を、第２手摺面材側取付部から延びる固定部と当接支持部との２点で支柱に対して接触して固定するため、いずれか１点で固定するよりも水平方向への変位を抑えることができる。
よって、第２の手摺面材の固定強度が、より一層高くなる。
【図面の簡単な説明】
【００１４】
【図１】図１は実施の形態１のバルコニーの手摺面材取付構造を有するユニット建物の概略平面図である。
【図２】図２は実施の形態１のバルコニーの手摺面材取付構造の縦断面図であって、図１のＳ１−Ｓ１線の位置での断面を示している。
【図３】図３は図２の断面図の要部を示す拡大断面図である。
【図４】図４は実施の形態１のバルコニーの手摺面材取付構造の要部を示す正面図である。
【図５】図５は実施の形態１のバルコニーの手摺面材取付構造の要部を示す平面図である。
【図６】図６は実施の形態１のバルコニーの手摺面材取付構造の要部を示す拡大断面図である。
【図７】図７は実施の形態１のバルコニーの手摺面材取付構造の継目部以外の箇所における取付構造を示す斜視図である。
【図８】図８は実施の形態１のバルコニーの手摺面材取付構造の要部の横断面図であって、図４のＳ８−Ｓ８線の位置での断面を示している。
【図９】図９は実施の形態１のバルコニーの手摺面材取付構造の取付作業手順説明図である。
【発明を実施するための形態】
【００１５】
以下、この発明に係るバルコニーの手摺面材取付構造の実施の形態を図面に基づいて説明する。
［実施の形態１］
【００１６】
図１は実施の形態１のバルコニーの手摺面材取付構造を備えたユニット建物１の要部の概略を示す概略平面図である。
図１に示すように、ユニット建物１は、第１の建物ユニット１Ａと第２の建物ユニット１Ｂとを水平方向に並設して構成している。なお、両建物ユニット１Ａ，１Ｂの高さ方向の設置位置は、ユニット建物１の１階、２階、３階などのいずれであってもよい。
【００１７】
＜バルコニーの構成＞
ユニット建物１の妻側に建物ユニット１Ａ、１Ｂに跨って、バルコニー１１が設けられている。
このバルコニー１１は、建物ユニット１Ａ、１Ｂから長手方向に張り出して設けられたバルコニー床１２と、このバルコニー床１２の周縁に設けられた手摺壁１３を有する。この手摺壁１３により、バルコニー床１２の上方の内側空間ＳＩと、バルコニー１１の外側の外側空間ＳＯとに区画されている。なお、手摺壁１３は、通常の平均的な大人の腰の高さより高く形成されている。
【００１８】
さらに、この手摺壁１３は、妻側手摺壁１３ａと桁側手摺壁１３ｂとを有する。
これら妻側手摺壁１３ａと桁側手摺壁１３ｂのうち、本発明の実施の形態１の手摺面材取付構造は、妻側手摺壁１３ａに適用しており、以下、妻側手摺壁１３ａについて説明する。
【００１９】
妻側手摺壁１３ａは、図２の断面図に示すように、下手摺壁１４と上手摺壁１５を備えている。
（下手摺壁の構成）
この下手摺壁１４は、図３に拡大して示すように、面材取付部材１６と、面材取付部材１６の内側に設けられた水切りカバー１７と、面材取付部材１６の外側に設けられた外側カバー１８と、面材取付部材１６の上部を覆う上カバー１９と、を有する。
この水切りカバー１７および上カバー１９の内側縁部は、図３に拡大して示すように、固定螺子２０で面材取付部材１６の内側に固定され、外側カバー１８と上カバー１９の外側縁部は固定螺子２１で面材取付部材１６の外側に固定されている。
【００２０】
面材取付部材１６は、建物ユニット１Ａ，１Ｂの端縁部に沿って設けられた妻側面材取付梁２４を備えている。そして、妻側面材取付梁２４には、複数のアンカー材２７が長手方向に間隔をあけて取り付けられている（図１参照）。なお、妻側面材取付梁２４は、このバルコニー１１の下方に配置された図示を省略した建物ユニットに支持されたものでもよいし、建物ユニット１Ａ，１Ｂからユニット外側に張り出して設けられたものであってもよい。
【００２１】
そして、各アンカー材２７に支柱４８の下端部が支持されている。したがって、妻側面材取付梁２４に沿って、複数の支柱４８が起立状態で固定されている（図１参照）。なお、図１では、妻側手摺壁１３ａにおけるアンカー材２７および支柱４８の数を、図示の簡略化のため「４」としているが、この数はこれに限定されるものではない。
また、各支柱４８に関する説明において、図１などでは、図において左側から順に符号４８に後ろに（ａ）〜（ｄ）の符号を付け、特定の支柱４８を指す場合には、（ａ）〜（ｄ）の符号により他のものと区別して表記する。一方、特定の支柱４８を指さない場合には、単に支柱４８と表記する。
【００２２】
さらに、妻側面材取付梁２４の上部を覆う上カバー１９には各アンカー材２７に対応して挿通孔１９ａが形成されている。
また、妻側面材取付梁２４は、図３に示すように、その上面および側面の上部が板状の防水部材３０で覆われている。この防水部材３０の側部は、水切りカバー１７および外側カバー１８と共に妻側面材取付梁２４に固定螺子２０，２１で固定されている。
【００２３】
なお、防水部材３０のバルコニー床１２側の側部には、バルコニー床１２の防水シート１２ａの周縁部に設けた起立部１２ａ１が固着されている。しかも、妻側面材取付梁２４の外側面と根太支持部材７との間は、妻側面材取付梁２４と根太支持部材７に固定した防水部材３１で覆われている。
また、妻側面材取付梁２４のアンカー材２７は防水部材３０の貫通穴３０ａを介して上方に突出している。
【００２４】
さらに、防水部材３０上には、貫通穴３０ａおよびその周囲を覆う防水シート３３が配設されている。この防水シート３３には、アンカー材２７の外周面に嵌合された筒状防水部３３ａが設けられている。
【００２５】
（上手摺壁の構成）
図２戻り、上手摺壁１５は、前述した支柱４８と、この支柱４８に支持された手摺面材４４およびこの手摺面材４４の上方に配設された笠木４５と、を有する。なお、笠木４５は、支柱４８の上端部に支持されている。
【００２６】
＜手摺面材の構造＞
次に、手摺面材４４の構成について説明する。
手摺面材４４は、レール状面材４４０を上下に並設して形成されている。レール状面材４４０は、アルミなどの金属製の型材が用いられ、図６に示すように、波状のプレート部４４１と、このプレート部４４１の上下端部にそれぞれ全長に亘って一体に形成された上側中空部４４２および下側中空部４４３と、を備えている。
【００２７】
なお、図６では、レール状面材４４０を、上下に２段設けた構造を示しているが、この下方あるいは上方位置にもレール状面材４４０を設けた３段や４段以上の複数段構造とすることもできる。図３では、図２の下側のレール状面材４４０よりもさらに、下方にレール状面材４４０を設けた場合のレール状面材４４０を一例として図示している。
また、上側中空部４４２の上面４４２ａは、水切りのために、内側空間ＳＩ側から外側空間ＳＯ側への下り傾斜面とされている。これにより、上側中空部４４２の上面４４２ａは、雨滴等が滞留せずに流れ落ちるようになっていると共に、外側空間ＳＯ側から見たレール状面材４４０の外観を見栄えの良い意匠にしている。
【００２８】
＜手摺面材の取付構造＞
次に、各手摺面材４４の支柱４８への取付構造について説明する。
妻側手摺壁１３ａは、前述のように複数の手摺面材４４を、長手方向に並設している。
図４、図５では、手摺面材４４として図の左側から順に第１の手摺面材４４（ａ）、第２の手摺面材４４（ｂ）、第３の手摺面材４４（ｃ）を、手摺面材４４の長手方向（矢印Ｓに沿う方向であってユニット建物１の妻に沿う方向）に並設している。
【００２９】
なお、以下、これら手摺面材４４のうち、特定のものを指す場合は、符号４４の後ろに（ａ）（ｂ）（ｃ）を付けるが、特定のものを指さない場合には、単に４４と表記する。また、第１の手摺面材４４（ａ）および第３の手摺面材４４（ｃ）が、特許請求の範囲の第１の手摺面材に相当し、第２の手摺面材４４（ｂ）が特許請求の範囲の第２の手摺面材に相当する。
また、前述したように、図示の簡略化のため、妻側手摺壁１３ａにおけるアンカー部材２７および支柱４８の数を「４」とし、これに応じて、手摺面材４４として、第１〜第３のものを図示しているが、この手摺面材４４の数も、これに限定されるものではない。
【００３０】
図１に示すように、第２の手摺面材４４（ｂ）は、両建物ユニット１Ａ，１Ｂに跨って配置され、第１の手摺面材４４（ａ）が建物ユニット１Ａに配置され、第３の手摺面材４４（ｃ）が建物ユニット１Ｂに配置されている。
【００３１】
第２の手摺面材４４（ｂ）は、長手方向の両端が、それぞれ、支柱４８（ｂ）、４８（ｃ）に対し、図５において矢印ＯＵＴで示す外側空間ＳＯの方向の位置に配置されている。そして、第２の手摺面材４４（ｂ）の長手方向の両端面４０１，４０１と、第１、第３の手摺面材４４（ａ），４４（ｃ）の端面４０２，４０２とが、対向して配置され、その間に継目部４６が設けられている（図８参照）。
一方、各建物ユニット１Ａ，１Ｂに配置された手摺面材４４（ａ），４４（ｃ）の他端側は、図７に示すように、長手方向で他端よりも内側位置で、後述する第３支持金具５３を介して支柱４８（ａ），４８（ｄ）に支持されている。
【００３２】
次に、継目部４６における各手摺面材４４の支持構造について説明する。
この継目部４６では、手摺面材４４を支柱４８に固定するための支持金具５０は、図５に示すように、第１支持金具５１と第２支持金具５２とを備えている。
第１の手摺面材４４（ａ）と第２の手摺面材４４（ｂ）を支持する支柱４８（ｂ）では、第１の手摺面材４４（ａ）が、第１支持金具５１により支柱４８（ｂ）に固定されている。また、第２の手摺面材４４（ｂ）は、第２支持金具５２により第１支持金具５１を介して支柱４８（ｂ）に固定されている。
【００３３】
一方、第２の手摺面材４４（ｂ）と第３の手摺面材４４（ｃ）を支持する支柱４８（ｃ）では、第３の手摺面材４４（ｃ）が第１支持金具５１により支柱４８（ｃ）にされている。また、第２の手摺面材４４（ｂ）が第２支持金具５２により第１支持金具５１を介して支柱４８（ｃ）に固定されている。
【００３４】
以下に、各支持金具５１，５２について説明する。
第１支持金具５１は、図８に拡大して示すように、手摺面材側取付片５１ａと、支柱側取付片５１ｂと、手摺面材側取付片５１ａの一端と支柱側取付片５１ｂの一端とを連結する連結片５１ｃと、を備えた略Ｚ断面のアングル鋼材により形成されている。また、第１支持金具５１は、上下方向は、図６に示すように、上端が手摺面材４４の上側のレール状面材４４０の上端に配置され、下端は、下側のレール状面材４４０よりも下方まで延在されている。なお、後述する第２支持金具５２も、第１支持金具５１と同様の上下方向寸法に形成されている。
【００３５】
そして、第１支持金具５１の手摺面材側取付片５１ａは、手摺面材４４の各中空部４４２，４４３に、その内側空間ＳＩの方向を向いた背面４０３に面当接された状態で、図４、図８に示すビス５１１により固定されている。
【００３６】
支柱側取付片５１ｂは、図８に示すように、支柱４８（ｂ）の外側空間ＳＯを向いた外側面４８ａに面当接されている。そして、支柱側取付片５１ｂの下部が、固定螺子５１２を、支柱４８（ｂ）を貫通してアンカー材２７に締結させて支柱４８（ｂ）の下部に固定され、かつ、その中間部が、図４、図６に示すビス５１３により支柱４８の中間部に固定されている。
なお、固定螺子５１２の締結位置は、図４、図６に示すように、手摺面材４４の下側のレール状面材４４０の下端よりも低い位置としている。また、ビス５１３による固定位置は、上下のレール状面材４４０，４４０の中間の高さとしている。
【００３７】
第２支持金具５２は、図８に示すように、手摺面材側取付片５２ａと、支持金具取付片５２ｂと、支柱突当片５２ｃと、カバー片（カバー部材）５２ｄと、を備えた略Ｈ断面のアングル鋼材により形成されている。手摺面材側取付片５２ａには、レール状部材４４０の各中空部４４２，４４３の内側空間ＳＩを向いた背面４０３が、面当接された状態で、図４、図８に示すビス５２１により固定されている。
【００３８】
支持金具取付片５２ｂは、手摺面材側取付片５２ａの手摺面材４４の長手方向の先端側の端部から支柱４８（ｂ）に向けて水平方向に略直角に立ち上げられ、第１支持金具５１の連結片５１ｃに固定螺子５２２により固定されている。
【００３９】
支柱突当片５２ｃは、手摺面材側取付片５２ａの支持金具取付片５２ｂが設けられた側とは反対側の端部から、支柱４８（ｂ）に向けて水平方向に略直角に立ち上げられ、その立ち上げ方向の先端部が、支柱４８（ｂ）の外側面４８ａに突き当てられている。したがって、手摺面材側取付片５２ａ、支持金具取付片５２ｂおよび連結片５１ｃ、支柱側取付片５１ｂ、支柱突当片５２ｃにより、略矩形の中空断面が形成される。これにより、レール状面材４４０が、支柱４８（ｂ）に対して水平方向に回動するような変位を、両支持金具５１，５２が独立して単に平らな板により片持ち支持したのと比較して、より強固に規制することができる。
【００４０】
カバー片５２ｄは、外側方向延長部５２ｄ１と、カバー部５２ｄ２と、によりＬ字断面形状に形成されている。外側方向延長部５２ｄ１は、手摺面材側取付片５２ａの端部において支持金具取付片５２ｂとは逆方向である外側空間ＳＯの方向に延在されている。そして、この外側方向延長部５２ｄ１は、第２の手摺面材４４（ｂ）の端面４０１に当接される一方、第１の手摺面材４４（ａ）の端面４０２とは、当接あるいは僅かに離間して、両端面４０１，４０２の間に配置されている。
【００４１】
カバー部５２ｄ２は、外側方向延長部５２ｄ１の先端から、隣り合う手摺面材４４（図８では第１の手摺面材４４（ａ）の外側面）の外側空間ＳＯを向いた表面４０４に沿うように略直角方向に延在され、この表面４０４の長手方向の端縁部を覆っている。
【００４２】
なお、第２の手摺面材４４（ｂ）と第３の手摺面材４４（ｃ）との支持構造は、前述したように、図８に示す支持構造とは左右対称になっている。よって、この部位の第２支持金具５２のカバー部５２ｄ２は、図５に示すように第３の手摺面材４４（ｃ）の表面４０４に沿う方向に折曲されて、この表面４０４の長手方向の端縁部を覆っている。
【００４３】
このように、第１の手摺面材４４（ａ）のレール状面材４４０は、その端縁部が、手摺面材側取付片５１ａ、外側方向延長部５２ｄ１、カバー部５２ｄ２によるコの字状部分に嵌合している。このため、単に、レール状面材４４０に手摺面材側取付片５１ａを当接させた支持したものと比較して、第１支持金具５１に対して、レール状面材４４０が水平方向に回動するように変位するのを規制でき、より強固な支持性能を得ることができる。
【００４４】
また、第２の手摺面材４４（ｂ）のレール状面材４４０は、その端縁部が、第２支持金具５２の手摺面材側取付片５２ａと外側方向延長部５２ｄ１とのＬ字のコーナ部に当接して支持されている。したがって、レール状面材４４０に、単に手摺面材側取付片５２ａを面当接させて支持したものと比較して、レール状面材４４０が第２支持金具５２に対して水平方向に回動する変位を規制することができる。
【００４５】
前述した図７に示す第１、第３の手摺面材４４（ａ），４４（ｃ）の他端側の支柱４８（ａ），４８（ｄ）への取付は、第３支持金具５３により行う。この第３支持金具５３は、第１支持金具５１と同様の手摺面材取付片５３ａ、支柱側取付片５３ｂ、連結片５３ｃとを備えた、略Ｚ断面形状のアングル材である。また、この第３支持金具５３の手摺面材４４および支柱４８（ａ），４８（ｄ）への取付は、第１支持金具５１と同様に、手摺面材４４にはビス５１１で固定し、支柱４８に固定螺子５１２およびビス５１３により固定する。
【００４６】
＜この発明の実施の形態の作用・効果＞
実施の形態の作用を説明するのにあたり、まず、各手摺面材４４の組付手順を説明する。
まず、第１支持金具５１および第３支持金具５３を、それぞれ、ビス５１１により、第１の手摺面材４４（ａ）および第３の手摺面材４４（ｃ）の長手方向両側の所定の位置に固定する。このとき、各手摺面材４４（ａ）、４４（ｃ）において、第２の手摺面材４４（ｂ）と突き合わせる側の端部では、連結片５１ｃの表面が、各手摺面材４４（ａ），４４（ｂ）の端面４０２と同一面となるように配置する。
【００４７】
一方、第２の手摺面材４４（ｂ）には、長手方向の両端部に第２支持金具５２、５２をビス５２１により固定する。このとき、第２支持金具５２のカバー片５２ｄと手摺面材側取付片５２ａとコーナ部に、第２の手摺面材４４（ｂ）の端部を突き当て、その端面４０１とカバー片５２ｄの外側方向延長部５２ｄ１とを当接させた状態とする。
【００４８】
そして、まず、第１の手摺面材４４（ａ）および第３の手摺面材４４（ｃ）を、それぞれ、各建物ユニット１Ａ，１Ｂのバルコニー床１２に立設された支柱４８（ａ）〜（ｄ）に固定する。この固定は、図８に示す支柱側取付片５１ｂおよび図７に示す支柱側取付片５３ｂを、それぞれ、支柱４８の外側面４８ａに当接させた状態とする。そして、その下端部を、固定螺子５１２により支柱４８を貫通してアンカー材２７に締結し、また、上下のレール状面材４４０の間の中間部を、ビス５１３により支柱４８に固定する。
【００４９】
ここで、固定螺子５１２の締結作業は、締結位置が図６に示すように手摺面材４４よりも下方位置であり、かつ、第２の手摺面材４４（ｂ）の取付前は、図９に示すように支柱側取付片５１ｂが外側空間ＳＯの方向に開放されているため、容易に行うことができる。また、ビス５１３の固定位置も、上下方向で上下のレール状面材４４０，４４０の間の位置であるため、レール状面材４４０，４４０が邪魔になることなく、作業を行うことができる。なお、第１の手摺面材４４（ａ）および第３の手摺面材４４（ｃ）は、それぞれ、単独の建物ユニット１Ａ、１Ｂに設置するため、両手摺面材４４（ａ）、４４（ｃ）の設置は、建築現場のみならず工場のユニット組立時に行うことも可能である。
【００５０】
次に、長手方向で第１の手摺面材４４（ａ）と第３の手摺面材４４（ｃ）との間に第２の手摺面材４４（ｂ）を取り付ける。なお、この第２の手摺面材４４（ｂ）の取り付けは、建築現場において各建物ユニット１Ａ，１Ｂの設置後に行う。
【００５１】
この取付時には、長手方向両端部の第２支持金具５２の支持金具取付片５２ｂを、図９に示す外側空間ＳＯ側の位置から、内側空間ＳＩの方向へ移動させて図８に示すように第１支持金具５１の連結片５１ｃに当接させる。また、このとき、支柱突当片５２ｃを支柱４８の外側面４８ａに突き当てることにより、第２の手摺面材４４（ｂ）の外側空間ＳＯ側のから内側空間ＳＩの方向へ移動を規制し、水平方向の位置を規定できる。このため、支柱突当片５２ｃを設けない場合と比較して、作業性に優れる。
さらに、この状態で、連結片５１ｃの側から固定螺子５２２を締結し、連結片５１ｃと支持金具取付片５２ｂとを共締めする。これにより、第２の手摺面材４４（ｂ）は、第１支持金具５１を介して支柱４８（ｂ）に固定される。
【００５２】
このとき、支柱突当片５２ｃの先端を支柱４８（ｂ）の外側面４８ａに突き当てるとともに、カバー部５２ｄ２を隣り合う第１、第３の手摺面材４４（ａ）、４４（ｃ）の表面４０４の長手方向端縁部に沿わせる。
したがって、寸法誤差などで、第１、第３の手摺面材４４（ａ）、４４（ｃ）の端面４０２と、カバー片５２ｄの外側方向延長部５２ｄ１との間隔が拡がったとしても、両者の間の隙間は、カバー部５２ｄ２により覆われて、外観に現れることは無い。
【００５３】
また、固定螺子５２２の締結作業は、支柱４８（ｂ）と第１、第３の手摺面材４４（ａ），４４（ｃ）との間における長手方向（矢印Ｓ方向）に沿う方向の作業であり、かつ、手摺面材４４の上端部近傍の作業であるため、作業空間の確保が容易であり、作業性に優れる。
【００５４】
なお、この固定螺子５２２を締結して第２支持金具５２を第１支持金具５１に固定する際に、第２の手摺面材４４（ｂ）の表面４０４側が、第２支持金具５２に十分に追従できない場合がある。そして、この場合、その端面４０１と第１、第３の手摺面材４４（ａ）、４４（ｃ）の端面４０２との間に隙間ができる場合が有り得る。
このような場合も、第１の手摺面材４４（ａ）と第２の手摺面材４４（ｂ）との間の継目部４６と、第２の手摺面材４４（ｂ）と第３の手摺面材４４（ｃ）との間の継目部４６とは、カバー部５２ｄ２により覆われている。よって、両継目部４６，４６に隙間が生じた場合でも、この隙間が外観に現れることが無く、外観品質に優れる。
【００５５】
以下に、本実施の形態１のバルコニーの手摺面材取付構造の効果を列挙する。
（１）本実施の形態１のバルコニーの手摺面材取付構造は、
建物としてのユニット建物１のバルコニー１１のバルコニー床１２に立設された支柱４８と、
バルコニー１１の内側空間ＳＩと外側空間ＳＯとを区画し、支柱４８の外側空間ＳＯ側に配置されて複数設けられた手摺面材４４と、
手摺面材４４を支柱４８に取り付ける支持部材としての支持金具５０と、
を備えたバルコニーの手摺面材取付構造において、
支持金具５０は、第１の手摺面材４４（ａ）および第３の手摺面材４４（ｃ）を第１締結部材としての固定螺子５１２により支柱４８に取り付けた第１支持金具５１と、第２の手摺面材４４（ｂ）を、第２締結部材としての固定螺子５２２により第１支持金具５１に取り付けた第２支持金具５２と、を備えることを特徴とする。
したがって、各手摺面材４４をそれぞれ独立して支柱４８に取り付けるものと比較して、第２の手摺面材４４（ｂ）は、第１の手摺面材４４（ａ）および第３の手摺面材４４（ｃ）に対する相対位置を規定しやすく取付位精度を容易に向上できる。
加えて、第２の手摺面材４４（ｂ）を、第２支持金具５２により第１支持金具５１に固定することにより、各手摺面材４４を、それぞれ、独立して支柱４８に固定したものと比較して、熱収縮による両端面４０１、４０２の相対変位を抑えることができる。これにより、継目部４６における両端面４０１、４０２の間の隙間が拡がるのを抑えることができ、これによっても外観品質を向上させることができる。
【００５６】
（２）本実施の形態１のバルコニーの手摺面材取付構造は、
第１支持金具５１と第２支持金具５２とのいずれか一方は、対向する両端面４０１、４０２同士の間を通って、内側空間ＳＩ側から外側空間ＳＯに延びるとともに前記長手方向に沿う方向に延在されて、両端面４０１、４０２同士を対向させた継目部４６を外側空間ＳＯ側から覆うカバー片５２を備えることを特徴とする。
さらに、実施の形態１では、第２の手摺面材４４（ｂ）にカバー片５２ｄを設けたことにより、第２の手摺面材４４（ｂ）の端面４０１とカバー片５２ｄとの位置関係を一定に保ち、熱収縮などの相対変位を抑えることができる。よって、例えば、支持金具５０に、両支持金具５１，５２とは別体のカバー部材を設けたものと比較して、カバー片５２ｄにおける継目部４６の隙間を覆い隠す部分であるカバー部５２ｄ２の面積を抑えつつ、確実に隙間を隠すことができる。
【００５７】
（３）実施の形態１のバルコニーの手摺面材取付構造は、
カバー片５２ｄは、第２の手摺面材４４（ｂ）の端面４０１に当接して端面４０１，４０２同士の間に配置された外側方向延長部５２ｄ１と、この外側方向延長部５２ｄ１の先端から、第１の手摺面材４４（ａ）の表面に沿う方向に折曲されたカバー部５２ｄ２と、によりＬ字断面形状に形成されていることを特徴とする。
このように、外側方向延長部５２ｄ１を端面４０１に当接したことにより、第２の手摺面材４４（ｂ）に熱収縮が生じてもカバー片５２ｄと端面４０１との間に隙間が生じるのを抑えることができる。また、第１の手摺面材４４（ａ）の端面４０２側の端部は、カバー部５２ｄ２により覆って、第１の手摺面材４４（ａ）に熱収縮が生じても、確実に端面４０２とカバー片５２ｄとの間の隙間を隠すことができる。
これにより、より一層外観品質を確実に向上させることができる。
また、第１の手摺面材４４（ａ）の端面４０２側の端部は、カバー部５２ｄ２と第１支持金具５１の手摺面材側取付片（基部）５１ａとの間に挟み込むことにより、第１の手摺面材４４（ａ）に熱収縮が生じても、確実に端面４０２とカバー片５２ｄとの間の隙間を隠すことができる。
なお、第３の手摺面材４４（ｃ）と第２の手摺面材４４（ｂ）とにあっても、同様の取付構造を備えていることから、同様の効果を得ることができる。
【００５８】
（４）実施の形態１のバルコニーの手摺面材取付構造は、
第１支持金具５１が、第１の手摺面材４４（ａ）の背面に固定された第１手摺面材側取付部としての手摺面材側取付片５１ａと、この手摺面材側取付片５１ａから支柱４８に向かって延びる連結部としての連結片５１ｃと、この連結片５１ｃの先端部に結合され、外側空間ＳＯ側から第１締結部材としての固定螺子５１２により支柱４８に固定された支柱側取付部としての支柱側取付片５１ｂと、を備え、
第２支持金具５２が、第２の手摺面材４４（ｂ）の背面に固定された第２手摺面材側取付部としての手摺面材側取付片５２ａと、この手摺面材側取付片５２ａから支柱４８に向かって延び、連結片５１ｃに、手摺面材４４の長手方向に沿う方向（矢印Ｓ方向）から固定螺子５２２により固定された固定部としての支持金具取付片５２ｂと、手摺面材側取付片５２ａと支持金具取付片５２ｂの少なくとも一方から外側空間ＳＯの方向に延びるカバー部材としてのカバー片５２ｄと、を備えることを特徴とする。
第１支持金具５１は、手摺面材側取付片５１ａを第１の手摺面材４４（ａ）の背面に固定し、支柱側取付片５１ｂを支柱４８に固定する。したがって、第１の手摺面材４４（ａ）が水平方向に傾くことなく強固に支柱４８に固定することができる。また、支柱側取付片５１ｂの支柱４８への固定作業は、第２支持金具５２の固定前に行うことで、作業空間に余裕があり、作業性を確保できる。
また、第２支持金具５２は、手摺面材側取付片５２ａを第２の手摺面材４４（ｂ）の背面に固定し、支持金具取付片５２ｂを手摺面材４４の長手方向に沿う方向（矢印Ｓ方向）から第１支持金具５１の連結片５１ｃに固定螺子５２２により固定した。したがって、第２支持金具５２を支柱４８に直接固定するのに比べ、作業空間の確保が容易であり作業性に優れる。
なお、第３の手摺面材４４（ｃ）と第２の手摺面材４４（ｂ）とにあっても、同様の取付構造を備えていることから、同様の効果を得ることができる。
【００５９】
（５）実施の形態１のバルコニーの手摺面材取付構造は、
第１支持金具５１は、第１の手摺面材４４（ａ）の裏面に沿う板状の手摺面材側取付片５１ａに、板状の連結片５１ｃと支柱側取付片５１ｂとがそれぞれ略直角に一体に形成されたアングル材により形成され、
第２支持金具５２は、第２の手摺面材４４（ｂ）の裏面に沿う手摺面材側取付片５２ａに、板状の支持金具取付片５２ｂとカバー片５２ｄとがそれぞれ略直角に一体に形成されたアングル材により形成されたことを特徴とする。
このように、第１支持金具５１および第２支持金具５２を、アングル材により形成するため、製造が容易であるとともに、加工精度に優れる。
また、第１支持金具５１は、手摺面材側取付片５１ａと支柱側取付片５１ｂとが、それぞれ、第１の手摺面材４４（ａ）と支柱４８とに面当接するため、水平方向に傾きにくく、固定強度に優れる。
同様に、第２支持金具５２は、手摺面材側取付片５２ａと支持金具取付片５２ｂとが、第２の手摺面材４４（ｂ）と板状の連結片５１ｃとに、面当接するため、水平方向に傾きにくく、固定強度に優れる。
【００６０】
（６）実施の形態１のバルコニーの手摺面材取付構造は、
第２支持金具５２は、手摺面材側取付片５２ａから支柱４８に向かって延びて先端を支柱４８に当接させた支柱突当片５２ｃをさらに備えていることを特徴とする。
したがって、第２の手摺面材４４（ｂ）の取付作業時に、支柱突当片５２ｃを支柱４８の外側面４８ａに突き当てることにより、第２の手摺面材４４（ｂ）の外側空間ＳＯ側のから内側空間ＳＩの方向へ移動を規制し、水平方向の位置を規定できる。このため、支柱突当片５２ｃを設けない場合と比較して、作業性に優れる。
さらに、第２支持金具５２は、手摺面材側取付片５２ａから略直角に延びる支持金具取付片５２ｂと支柱突当片５２ｃとの２点で支柱４８に接触して固定しているため、いずれか１点で固定するよりも水平方向への変位を抑えることができる。
よって、第２の手摺面材４４（ｂ）に対する固定強度が、より高くなる。
【００６１】
以上、本発明の給湯制御装置を実施の形態に基づき説明してきたが、具体的な構成については、この実施の形態に限られるものではなく、特許請求の範囲の各請求項に係る発明の要旨を逸脱しない限り、設計の変更や追加等は許容される。
【００６２】
例えば、実施の形態では、建物として、ユニット建物を示したが、これに限定されず、在来工法により建てた住宅やビルなどの建物にも適用できる。
また、バルコニーの形状や、建物におけるバルコニーの設置位置は、実施の形態で示したものに限定されない。例えば、実施の形態では、２つの建物ユニットに跨ってバルコニーを形成したが、これに限定されず、バルコニーは、１の建物ユニットのみに設けてもよいし、あるいは、２以上の複数の建物ユニットに跨って設けてもよい。また、建物の妻側にバルコニーを設けた例を示したが、桁側に設けてもよいし、あるいは、建物のコーナ部のように、桁側と妻側との両方に跨って設けてもよい。
よって、第２の手摺面材の設置位置は、実施の形態のように、２つの建物ユニットに跨って配置されたものに限定されるものではなく、単一の建物ユニットに設けてもよいし、前述のように、建物ユニット以外にも適用できる。
【００６３】
実施の形態では、手摺面材は、複数のレール状面材を上下方向に重ねたものを示したが、手摺面材の構成は、これに限定されない。例えば、１枚の手摺面材としてもよいし、上下に複数併設する場合も、実施の形態で示したレール状面材以外の形状、例えば、板状の面材を上下方向に並設してもよい。
【００６４】
実施の形態では、カバー部材を設けた例を示したが、カバー部材は、必ずしも設けなくてもよく、例えば、継目部に目地材などを充填した構造としてもよい。また、カバー部材は、第１支持部材としての第１支持金具に設けてもよいし、両支持部材に設けてもよい。
また、カバー部材は、実施の形態では、第１の支持部材と第２の支持部材との一方の表面の端縁部のみを覆う構成としたが、これに限定されず、例えば、Ｔ字断面形状に形成して、第１、第２の支持部材の両方の表面の端縁部を覆うようにしてもよい。
さらに、カバー部材としてのカバー部は、第２支持金具と一体に形成した例を示したが、これに限定されず、支持金具とは別体の部材を、ビス、螺子、接着材などを用いて固定した構造としてもよい。
【００６５】
また、実施の形態では、第２の手摺面材の両端を、それぞれ、第２の支持部材としての第２支持金具により支持した例を示したが、これに限定されない。例えば、第２の手摺面材において一端側を第２支持金具により、第１の手摺面材に固定した第１支持金具に固定し、他端は、第１支持金具により支柱に固定する構造としてもよい。そして、この場合、第３の手摺面材、それに隣り合う第４の手摺面材と、長手方向に連続して同様の取付構造により支柱に固定するようにしてもよい。
【符号の説明】
【００６６】
１１   バルコニー
１２   バルコニー床
１３   手摺壁
４４   手摺面材
４４（ａ）第１の手摺面材
４４（ｂ）第２の手摺面材
４４（ｃ）第３の手摺面材（第１の手摺面材）
５０   支持金具（支持部材）
５１   第１支持金具（第１支持部材）
５１ａ 手摺面材側取付片（第１手摺面材側取付部）
５１ｂ 支柱側取付片（支柱側取付部）
５１ｃ 連結片（連結部）
５２   第２支持金具（第２支持部材）
５２ａ 手摺面材側取付片（第２手摺側取付部）
５２ｂ 支持金具取付片（固定部）
５２ｃ 支柱突当片（当接支持部）
５２ｄ カバー片（カバー部材）
５２ｄ１      外側方向延長部
５２ｄ２      カバー部
４０１ （第１の手摺面材の）端面
４０２ （第２の手摺面材の）端面
５１２ 固定螺子（第１締結部材）
５２２ 固定螺子（第２締結部材）
ＳＩ   内側空間
ＳＯ   外側空間
【図１】
0006557505.tif 000002
【図２】
0006557505.tif 000003
【図３】
0006557505.tif 000004
【図４】
0006557505.tif 000005
【図５】
0006557505.tif 000006
【図６】
0006557505.tif 000007
【図７】
0006557505.tif 000008
【図８】
0006557505.tif 000009
【図９】
0006557505.tif 000010